(57)【特許請求の範囲】
【請求項１】
拡散コードとして偶対称コード及び奇対称コードを用いて送信データを拡散する拡散処理手段と、
前記拡散処理手段により形成された偶対称又は奇対称の拡散処理後の各チップを、互いに対称なチップを互いに逆相のサブキャリアに割り当てるようにして、互いに直交関係にある複数サブキャリアを変調する直交マルチキャリア変調手段と
を具備することを特徴とするＯＦＤＭ送信装置。
【請求項２】
複数の送信データを偶対称コード又は奇対称コードを用いて拡散処理する拡散処理手段と、
各送信データについての拡散処理後のチップを、互いに対称なチップを互いに逆相のサブキャリアに割り当てるようにして、互いに直交関係にある複数サブキャリアを変調する直交マルチキャリア変調手段と、
前記直交マルチキャリア変調手段から出力される各送信データについての変調信号の位相を前記各送信データについての変調信号毎に回転させる位相回転手段と
を具備することを特徴とするＯＦＤＭ送信装置。
【請求項３】
位相回転手段は、Ｉ−Ｑ平面上において直線上を変動する各送信データについての変調信号軌跡が、Ｉ−Ｑ平面上においてほぼ等角度間隔で配置するように位相を回転させる
ことを特徴とする請求項２に記載のＯＦＤＭ送信装置。
【請求項４】
送信データがＮグループであり、直交マルチキャリア変調手段から出力される直交マルチキャリアＣＤＭＡ信号がｍ値のＰＳＫ変調信号である場合、位相回転手段は、各送信データの変調信号軌跡が変動する直線がＩ−Ｑ平面上において３６０°／（ｍ×Ｎ）の角度間隔で配置するように変調信号の位相を回転させる
ことを特徴とする請求項３に記載のＯＦＤＭ送信装置。
【請求項５】
拡散処理手段は、ほぼ同数の偶対称コードと奇対称コードを用いて拡散処理を行う
ことを特徴とする請求項２から請求項４のいずれかに記載のＯＦＤＭ送信装置。
【請求項６】
請求項１から請求項５のいずれかに記載のＯＦＤＭ送信装置を備えることを特徴とする無線基地局装置。
【請求項７】
拡散コードとして奇対称コード又は偶対称コードを用いて送信データを拡散処理し、
拡散処理後の各チップを、互いに対称なチップを互いに逆相のサブキャリアに割り当てるようにして、互いに直交関係にある複数サブキャリアを変調する
ことを特徴とするＯＦＤＭ送信方法。
【請求項８】
送信データを複製し、複製した送信データそれぞれに対して偶対称拡散コードの各チップを割り当てて拡散処理を行い、拡散処理後の各チップを、互いに対称なチップを互いに逆相のサブキャリアに割り当てるようにして、互いに直交関係にある複数サブキャリアを変調するステップと、
前記送信データとは異なる送信データを複製し、複製した送信データそれぞれに対して奇対称拡散コードの各チップを割り当てて拡散処理を行い、拡散処理後の各チップを、互いに対称なチップを互いに逆相のサブキャリアに割り当てるようにして、互いに直交関係にある複数サブキャリアを変調するステップと、
前記偶対称拡散コードを用いて形成されたマルチキャリアＣＤＭＡ信号と前記奇対称拡散コードを用いて形成されたマルチキャリアＣＤＭＡ信号を合成するステップと
を有することを特徴とするＯＦＤＭ送信方法。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式にＣＤＭＡ（Ｃｏｄｅ  Ｄｉｖｉｓｉｏｎ  Ｍｕｌｔｉｐｌｅ  Ａｃｃｅｓｓ）方式を組み合わせて大容量の送信データを無線伝送するようになされたＯＦＤＭ送信装置及びＯＦＤＭ送信方法に関する。
【０００２】
【従来の技術】
従来、この種の送信装置では、ＯＦＤＭ変調方式により得られる送信データを高速で伝送できるといった長所と、ＣＤＭＡ変調方式により得られる干渉及び雑音に強いといった長所とを有効に利用することにより、多数の通信端末に高品質の送信データを高速で伝送し得るようになっている。
【０００３】
ＯＦＤＭ方式とＣＤＭＡ方式を組み合わせた通信方式（以下、これをＯＦＤＭ−ＣＤＭＡ方式と呼ぶ）には、大別して、時間領域拡散方式と周波数領域拡散方式とがある。時間領域拡散方式は、拡散符号によってチップ単位に拡散した各拡散データを同一のサブキャリア内で時間方向に配置するものである。一方、周波数領域拡散方式は、チップ単位に拡散した各拡散データを異なるサブキャリアに割り当てて配置するものである。
【０００４】
以下、周波数領域拡散方式について説明する。図１７は、変調処理前のディジタルシンボルの状態を示す模式図であり、図１８は、周波数領域拡散方式での変調処理後の各チップの配置を示す模式図である。周波数領域拡散方式では、直列データ系列であるＮ個のディジタルシンボル（図１７）の各シンボルに対して、拡散率Ｍの拡散符号が乗算される。
【０００５】
拡散後のチップはＭ個並列的に、１シンボルづつ順次ＩＦＦＴ（逆高速フーリエ変換）処理がなされる。この結果、ＭサブキャリアのＯＦＤＭシンボルがＮ個生成される。つまり、周波数領域拡散方式では、拡散後のチップが、それぞれの時間において周波数軸上に配置される形になる（図１８）。換言すれば、拡散後のチップが、それぞれ異なるサブキャリアに配置される。
【０００６】
この周波数拡散方式を実現する従来のＯＦＤＭ送信装置の構成例を、図１９及び図２０に示す。図１９及び図２０では、４つのサブキャリアを形成し、かつ４ユーザにそれぞれ異なる送信データを送信するようになっている。図１９に示すように、ＯＦＤＭ送信装置１はユーザ分だけ設けられた送信処理ブロック１１〜１４には、各ユーザに送信するユーザデータＵ１（ｋ）〜Ｕ４（ｋ）がそれぞれ入力される。
【０００７】
送信処理ブロック１１〜１４は入力データに対してそれぞれ異なる拡散コードを用いて各ユーザデータＵ１（ｋ）〜Ｕ４（ｋ）を拡散処理する。図１９の例では、拡散コードとして「１１００」、「０１１０」、「０１０１」、「１００１」を用いる。因みに、これら４つの拡散コードは１に対して＋１、０に対して−１を対応させて相互相関をとるとどの組合わせも零になるので、受信側で同じコードを用いて逆拡散することによってユーザ毎にシンボルを分離できる。例えば「１１００」と「０１０１」が多重されていても、その相互相関は１×（−１）＋１×１＋（−１）×（−１）＋（−１）×１＝０なので「１１００」のコードで受信すると「０１０１」で拡散されたシンボルは０になる。
【０００８】
また送信処理ブロック１１〜１４は、拡散処理により得られた各チップによりそれぞれ異なるサブキャリアを変調する。加算回路１５では、各送信処理ブロック１１〜１４により得られたＯＦＤＭ−ＣＤＭＡ信号が加算される。
【０００９】
各送信処理ブロック１１〜１４は、図２０に示すように構成されている。図２０は、送信処理ブロック１１を示し、ユーザデータＵ１（ｋ）を拡散コード「１１００」で拡散する。先ず、ユーザデータＵ１（ｋ）がコピー回路２０に入力される。コピー回路２０により複製されたサブキャリア分のユーザデータＵ１（ｋ）は、ＣＤＭＡ処理部４０を形成する各乗算回路２１〜２４に送出される。
【００１０】
乗算回路２１〜２４は、拡散コード「１１００」に対応した乗算値をユーザデータＵ１（ｋ）の各シンボルに乗算する（拡散コード「１１００」の「１」に対して「＋１」を、「０」に対して「−１」を対応させている）。具体的には、乗算回路２１では乗算値「＋１」が乗算され、乗算回路２２では乗算値「＋１」が乗算され、乗算回路２３では乗算値「−１」が乗算され、乗算回路２４では乗算値「−１」が乗算される。
【００１１】
各乗算回路２１〜２４の乗算結果は、ＯＦＤＭ処理部５０の乗算回路３１〜３４に送出される。各乗算器３１〜３４では、それぞれ周波数拡散出力であるシンボルと、シンボルレートＴｓ−１（ユーザデータのシンボル時間長をＴｓとする）の３／２倍、１／２倍、−１／２倍、−３／２倍の周波数のサブキャリア波形が時間を合わせて掛け合わされる。因みに、ここで言っている３／２倍、１／２倍、−１／２倍、−３／２倍とは、複素数表現されたサブキャリアの周波数ｅｊ２πｆｃｔのｆｃが（３／２）Ｔｓ、（１／２）Ｔｓ、（−１／２）Ｔｓ、（−３／２）Ｔｓであるという意味である。
【００１２】
乗算回路３１〜３４により得られた、拡散チップで変調された変調サブキャリア信号は、加算器５１によりそれらが全て加算され、送信出力端５２からは送信ＯＦＤＭ−ＣＤＭＡ信号が出力される。
【００１３】
なおこの従来例の構成では、信号は全て実数値（ＢＰＳＫ変調を想定）として扱ってきたが、複素数（ＱＰＳＫ変調など）の場合も同様である。この場合は信号も拡散コードも加算器も乗算器も全て複素数に対応するものに置き換えるだけでよい。
【００１４】
【発明が解決しようとする課題】
ところで、従来のＯＦＤＭ送信装置では、全サブキャリアの送信シンボルが一致するときにピーク振幅を生じる。つまり、送信シンボルが同じような位相になったときに、最も大きな合成信号電圧が発生する。
【００１５】
単純に考えると、シングルキャリアのピーク電圧をＰとし平均信号電圧をａとすると、２キャリアのピーク電圧は２×Ｐとなり平均信号電圧は√２×ａとなる。
【００１６】
このピーク電圧が送信電力増幅器の入力レンジ内に入るようにバックオフを大きくとると電力効率が低下する。一方、バックオフを小さくすると上記ピーク振幅発生時に大きな非線形歪みを生じて不要電波を放射するなどの問題があった。
【００１７】
本発明はかかる点に鑑みてなされたものであり、ＣＤＭＡ方式を組み込んだＯＦＤＭ送信装置において、複数サブキャリアの合成信号のピーク電圧を抑制し得るＯＦＤＭ送信装置及びＯＦＤＭ送信方法を提供することを目的とする。
【００１８】
【課題を解決するための手段】
かかる課題を解決するため本発明のＯＦＤＭ送信装置は、拡散コードとして偶対称コード及び奇対称コードを用いて送信データを拡散する拡散処理手段と、拡散処理手段により形成された偶対称又は奇対称の拡散処理後の各チップを、互いに対称なチップを互いに逆相のサブキャリアに割り当てるようにして、互いに直交関係にある複数サブキャリアを変調する直交マルチキャリア変調手段とを具備する構成を採る。
【００１９】
この構成によれば、拡散処理手段では、偶対称コード又は奇対称コードに応じて送信データの１シンボルが偶対称又は奇対称のチップへと拡散される。直交マルチキャリア変調手段では、偶対称コードにより拡散された拡散チップについてはＩ−Ｑ平面上の同一円周上の同一起点から互いに反対方向に同じ角度ずつ位相が回転する信号点が形成される。一方、奇対称コードにより拡散された拡散チップについてはＩ−Ｑ平面上の同一円周上であって位相が１８０°異なる起点から互いに反対方向に同じ角度ずつ位相が回転する信号点が形成される。この結果、偶対称コードで拡散されたシンボルの直交マルチキャリア変調後の合成信号点は、所定の直線上を変動するようになる。また奇対称コードで拡散されたシンボルの直交マルチキャリア変調後の合成信号点は、上記偶対称コードの直線とＩ−Ｑ平面上で直交する直線上を変動するようになる。これにより直交マルチキャリア変調手段から出力される合成信号ベクトルは、互いに直交した直線上を変動する信号ベクトルを合成したものとなるので、Ｉ−Ｑ平面上の同じような位置に信号点が集中する場合と比較して、合成信号ベクトルの大きさを小さくできる。このように拡散コードとして偶対称コードと奇対称コードを用いることにより、直交マルチキャリア変調後の合成信号ベクトルを互いに直交する直線上を変動する信号点の合成ベクトルとすることができるので、ＯＦＤＭ−ＣＤＭＡ信号のピーク電圧を抑制することができる。
【００２０】
また本発明のＯＦＤＭ送信装置は、複数の送信データを偶対称コード又は奇対称コードを用いて拡散処理する拡散処理手段と、各送信データについての拡散処理後のチップを、互いに対称なチップを互いに逆相のサブキャリアに割り当てるようにして、互いに直交関係にある複数サブキャリアを変調する直交マルチキャリア変調手段と、直交マルチキャリア変調手段から出力される各送信データについての変調信号の位相を各送信データについての変調信号毎に回転させる位相回転手段とを具備する構成を採る。
【００２１】
この構成によれば、変調後の各送信データの合成信号軌跡はＩ−Ｑ平面の直線上を変動するようになるが、各送信データについての直線が重なり合っていると、最終的に直交マルチキャリア変調手段から出力される合成信号は、その直線方向のベクトルが大きくなってしまうので、位相回転手段によって位相回転処理を行うことにより、直線同士が重ならないようにする。この結果、信号点を一段と分散させることができるようになるので、一段とＯＦＤＭ−ＣＤＭＡ信号のピーク電圧を抑制することができる。
【００２２】
また本発明は、上記位相回転手段は、Ｉ−Ｑ平面上において直線上を変動する各送信データについての変調信号軌跡が、Ｉ−Ｑ平面上においてほぼ等角度間隔で配置するように位相を回転させる構成を採る。
【００２３】
この構成によれば、拡散処理及び直交マルチキャリア変調処理が施された各送信データについての信号点をＩ−Ｑ平面上にほぼ一様に分布させることができるようになるので、一段と送信ＯＦＤＭ−ＣＤＭＡ信号のピーク電圧を抑制することができる。
【００２４】
また本発明は、送信データがＮグループであり、直交マルチキャリア変調手段から出力される直交マルチキャリアＣＤＭＡ信号がｍ値のＰＳＫ変調信号である場合、上記位相回転手段は、各送信データの変調信号軌跡が変動する直線がＩ−Ｑ平面上において３６０°／（ｍ×Ｎ）の角度間隔で配置するように変調信号の位相を回転させる構成を採る。
【００２５】
この構成によれば、例えば送信データ４個あり、直交マルチキャリアＣＤＭＡ信号がＱＰＳＫ変調信号（ｍ＝４）の場合には、移動回転手段は、各送信データの信号軌跡が変動する直線が２２．５°の角度間隔で配置するように変調信号の位相を回転させる。この結果、Ｎグループの送信データがｍ値のＰＳＫ変調信号された場合に、最終的なＯＦＤＭ−ＣＤＭＡ信号の信号点をＩ−Ｑ平面上の一方向に集中させることなく、一様に分散させることができる。これにより、ＯＦＤＭ−ＣＤＭＡ信号のピーク電圧を抑制することができる。
【００２６】
また本発明は、上記拡散処理手段は、ほぼ同数の偶対称コードと奇対称コードを用いて拡散処理を行う構成を採る。
【００２７】
この構成によれば、偶対称コードにより拡散された送信データの拡散チップのＩ−Ｑ平面での合成信号点と、奇対称コードにより拡散された送信データの拡散チップのＩ−Ｑ平面での合成信号点は、互いに直交する直線上を変動するようになるが、このとき偶対称コードを用いて拡散される送信データの数と奇対称コードを用いて拡散される送信データの数がほぼ同数であれば、直交マルチキャリア変調手段から出力される最終的なＯＦＤＭ−ＣＤＭＡ信号の合成信号ベクトルは、正方形の隣接する２辺のベクトルについての合成ベクトルとなる。この結果、ＯＦＤＭ−ＣＤＭＡ信号のピーク電圧を一段と抑制できるようになる。
【００２８】
また本発明の無線基地局装置は、上記ＯＦＤＭ送信装置を備える構成を採る。
【００２９】
また本発明のＯＦＤＭ送信方法は、拡散コードとして奇対称コード又は偶対称コードを用いて送信データを拡散処理し、拡散処理後の各チップを、互いに対称なチップを互いに逆相のサブキャリアに割り当てるようにして、互いに直交関係にある複数サブキャリアを変調する。
【００３０】
この方法によれば、偶対称コード又は奇対称コードに応じて送信データの１シンボルが偶対称又は奇対称のチップへと拡散される。偶対称コードにより拡散された互いに対称位置にある拡散チップを、位相が逆相のサブキャリアに割り当てれば、Ｉ−Ｑ平面の同一円周上の同一起点から互いに反対方向に同じ角度ずつ位相が回転する信号点が形成される。一方、奇対称コードにより拡散された拡散チップについてはＩ−Ｑ平面上の同一円周上であって位相が１８０°異なる起点から互いに反対方向に同じ角度ずつ位相が回転する信号点が形成される。この結果、偶対称コードで拡散されたシンボルの直交マルチキャリア変調後の合成信号点は、所定の直線上を変動するようになる。また奇対称コードで拡散されたシンボルの直交マルチキャリア変調後の合成信号点は、上記偶対称コードの直線とＩ−Ｑ平面上で直交する直線上を変動するようになる。これにより直交マルチキャリア変調手段から出力される合成信号ベクトルは、互いに直交した直線上を変動する信号ベクトルを合成したものとなるので、Ｉ−Ｑ平面上の同じような位置に信号点が集中する場合と比較して、合成信号ベクトルの大きさを小さくできる。このように拡散コードとして偶対称コードと奇対称コードを用いることにより、直交マルチキャリア変調後の合成信号ベクトルを互いに直交する直線上を変動する信号点の合成ベクトルとすることができるので、ＯＦＤＭ−ＣＤＭＡ信号のピーク電圧を抑制することができる。
【００３１】
また本発明のＯＦＤＭ送信方法は、送信データを複製し、複製した送信データそれぞれに対して偶対称拡散コードの各チップを割り当てて拡散処理を行い、拡散処理後の各チップを、互いに対称なチップを互いに逆相のサブキャリアに割り当てるようにして、互いに直交関係にある複数サブキャリアを変調するステップと、送信データとは異なる送信データを複製し、複製した送信データそれぞれに対して奇対称拡散コードの各チップを割り当てて拡散処理を行い、拡散処理後の各チップを、互いに対称なチップを互いに逆相のサブキャリアに割り当てるようにして、互いに直交関係にある複数サブキャリアを変調するステップと、偶対称拡散コードを用いて形成された直交マルチキャリアＣＤＭＡ信号と奇対称拡散コードを用いて形成された直交マルチキャリアＣＤＭＡ信号を合成するステップとを有するようにする。
【００３２】
この方法によれば、偶対称コードを用いて形成される第１の送信データについての直交マルチキャリアＣＤＭＡ信号の信号軌跡と、奇対称コードを用いて形成される第２の送信データについての直交マルチキャリアＣＤＭＡ信号の信号軌跡は、Ｉ−Ｑ平面上の互いに直交する直線上を変動するようになる。この結果、第１の送信データについての送信シンボル点と第２の送信データについての送信シンボル点を分散させることができることにより、ＯＦＤＭ−ＣＤＭＡ信号のピーク電圧を抑制することができる。
【００３３】
【発明の実施の形態】
本発明の骨子は、ＯＦＤＭ−ＣＤＭＡ信号を形成する場合に、各送信データについての変調信号の信号点がＩ−Ｑ平面上の異なる直線上を変動するようにしたことである。これにより信号点を一様に分散させることができことにより、ピーク電圧を抑制し得る。
【００３４】
このため本発明では、送信データを偶対称又は奇対称の拡散コードを用いて拡散する。また本発明では、偶対称又は奇対称の拡散処理後の各チップを、互いに対称なチップを互いに逆相のサブキャリアに割り当てるように、互いに直交関係にある複数サブキャリアに割り当てることでＯＦＤＭ−ＣＤＭＡ信号を形成する。
【００３５】
以下、本発明の実施形態について図面を参照して詳細に説明する。
【００３６】
（実施の形態１）
（１）原理
先ず、この実施の形態の原理について、図１〜図５を用いて説明する。最初に、「偶対称又は奇対称の拡散コードを用いると各コードの送信信号軌跡がＩ−Ｑ平面上で直線上でのみ変動する」原理を説明する。図１は周波数領域拡散前の各サブキャリアに割り当てられるＢＰＳＫ送信シンボル（「＋１」送信時）を示す。つまり、図１全体が送信データの１シンボル分であり、これらが（２×Ｎ）個のサブキャリアに割り当てられる。
【００３７】
周波数領域拡散を行う場合にはこれらは共通の振幅を有するので、拡散出力には周波数領域拡散コードそのもの（又は「−１」送信時は符号反転コード）が現れる。この結果、送信データ１シンボル分の偶対称コードによる拡散出力は、図２に示すように偶対称となる。また奇対称コードによる拡散出力は、図３に示すように奇対称になる。
【００３８】
次に図２の偶対称出力における中心から±ｋ個離れたサブキャリアペアに注目して信号軌跡を描くと、図４のようになる。信号帯域の中心周波数を０［Ｈｚ］とみなしてＩ−Ｑ平面を考えると、送信シンボル「＋１」はＩ軸上（１，０）点にあり、＋ｋのサブキャリアはそこから左回り、−ｋのサブキャリアは逆方向に等速度で回転する。
【００３９】
従ってこれらのベクトル加算結果は常にＩ軸上にあり、結果として偶対称出力のマルチキャリア信号軌跡はＩ軸上での変動のみになる。同様に奇対称出力の場合は図５に示すように、＋ｋのサブキャリアは（１，０）点から時計回りに、−ｋのサブキャリアは（−１，０）点から反時計回りに回転する。従って、そのベクトル加算結果はＱ軸上にあり、結果として奇対称出力のマルチキャリア信号軌跡はＱ軸上での変動のみになる。
【００４０】
ここでは、サブキャリア数が偶数でＢＰＳＫ変調の場合について説明したが、サブキャリア数が奇数の場合は直流成分を追加するのみでよく、ＢＰＳＫ変調以外の場合の信号軌跡は各サブキャリアペアの開始位置をその信号シンボル座標から描き始めればよいだけである。結果としていずれの場合にも周波数領域拡散において偶対称又は奇対称の拡散コードを用いると各コードの送信信号軌跡はＩ−Ｑ平面の直線上でのみ変動することがいえる。
【００４１】
因みに、このようなサブキャリアペアを作るためには、偶対称又は奇対称の拡散処理後の各チップを、互いに対称なチップを互いに逆相のサブキャリアに割り当てるように、互いに直交関係にある複数サブキャリアに割り当てる必要がある。
【００４２】
ここで偶対称及び奇対称になる拡散コードを生成するには、例えばＩＭＴ−２０００でも採用されているＯＶＳＦ（Ｏｒｔｈｏｇｏｎａｌ  Ｖａｒｉａｂｌｅ  Ｓｐｒｅａｄｉｎｇ  Ｆａｃｔｏｒ）生成回路を用いればよい。このＯＶＳＦ生成回路では、偶対称コードと奇対称コードを同数ずつ得ることができる。
【００４３】
さらにセル認識のためのスクランブルは、周波数方向には偶対称又は奇対称で時間方向には任意のコードを用いることにより可能である。
【００４４】
（２）構成
図６に、本発明の実施の形態１に係るＯＦＤＭ送信装置を示す。ＯＦＤＭ送信装置１００は各ユーザデータＵ１（ｋ）〜Ｕ４（ｋ）に対応するＯＦＤＭ−ＣＤＭＡ送信処理ブロック（以下これを単に送信処理ブロックと呼ぶ）１０１〜１０４を有する。この実施の形態の場合、各送信処理ブロック１０１〜１０４はＢＰＳＫ変調処理を行うようになっている。
【００４５】
各送信処理ブロック１０１〜１０４には、拡散コード発生器１０５により発生された偶対称コード及び奇対称コードがコード割当部１０６を介して入力される。コード割当部１０６は偶対称コードが割り当てられる送信処理ブロック１０１〜１０４の数と奇対称コードが割り当てられる送信処理ブロック１０１〜１０４の数が同数となるように、偶対称コード及び奇対称コードを選択して各送信処理ブロック１０１〜１０４に拡散コードを割り当てる。
【００４６】
各送信処理ブロック１０１〜１０４は、図７に示すように構成されている。ここではユーザデータＵ１（ｋ）を処理する送信処理ブロック１０１について説明する。送信処理ブロック１０１のコピー部１１０にはユーザデータＵ１（ｋ）が入力され、コピー部１１０はユーザデータＵ１（ｋ）をサブキャリア数に対応した数だけ複製する。
【００４７】
複製された複数のユーザデータＵ１（ｋ）は、ＣＤＭＡ処理部１３０の各乗算器１１１〜１１４に入力される。また各乗算器１１１〜１１４のコード入力端１１１ａからは、コード割当部１０６（図６）から出力された偶対称コード又は奇対称コードが入力される。送信処理ブロック１０１には、偶対称コード「１００１」が入力される。
【００４８】
そして各乗算器１１１〜１１４には、偶対称コード「１００１」をチップ単位に分割した「＋１」、「−１」、「−１」、「＋１」が乗算値として入力される（コード「１００１」の「１」に対して「＋１」を、「０」に対して「−１」を対応させる）。
【００４９】
このように乗算器１１１〜１１４は、各サブキャリアに割り当てられるユーザデータＵ１（ｋ）にコード入力端１１１ａ〜１１４ａから入力されたコードを掛け合わせることにより周波数領域拡散処理を行う。この結果、ＣＤＭＡ処理部１３０からは、偶対称又は奇対称となる拡散処理後のチップが得られる。送信処理ブロック１０１のＣＤＭＡ処理部１３０からは乗算器１１２と乗算器１１３を境として偶対称となる拡散処理後のチップが得られる。
【００５０】
ＣＤＭＡ処理部１３０から出力される周波数拡散出力である各チップは、ＯＦＤＭ処理部１４０の各乗算器１２１〜１２４に送出される。各乗算器１２１〜１２４では、それぞれ周波数拡散出力であるチップと、入力端１２１ａ〜１２４ａから入力されるシンボルレートＴｓ−１（送信シンボル列のシンボル時間長をＴｓとする）の３／２倍、１／２倍、−１／２倍、−３／２倍の周波数のサブキャリア波形が時間を合わせて掛け合わされる。因みに、ここで言っている３／２倍、１／２倍、−１／２倍、−３／２倍とは、複素数表現されたサブキャリアの周波数ｅｊ２πｆｃｔのｆｃが（３／２）Ｔｓ、（１／２）Ｔｓ、（−１／２）Ｔｓ、（−３／２）Ｔｓであるという意味である。
【００５１】
このようにＯＦＤＭ処理部１４０は、ＣＤＭＡ処理部１３０により形成された偶対称又は奇対称の拡散処理後の各チップを、互いに対称なチップを互いに逆相のサブキャリアに割り当てるようにして、互いに直交関係にある複数サブキャリアを変調する。加算器１５０は、各乗算器１２１〜１２４の出力を加算する。これにより出力端１５１からは、１ユーザ分のＯＦＤＭ−ＣＤＭＡ信号が出力される。
【００５２】
他の送信処理ブロック１０２〜１０４は、上述した送信処理ブロック１０１と同じ周波数のサブキャリアを、それぞれのユーザデータＵ２（ｋ）〜Ｕ４（ｋ）を与えられた偶対称又は奇対称の拡散コードで拡散して得たチップで変調することにより、それぞれのユーザデータＵ２（ｋ）〜Ｕ４（ｋ）が重畳されたＯＦＤＭ−ＣＤＭＡ信号を形成する。
【００５３】
ＯＦＤＭ送信装置１００は、このように各送信処理ブロック１０１〜１０４により形成された複数ユーザ分のＯＦＤＭ−ＣＤＭＡ信号を加算器１０７によって加算することにより、複数のユーザデータＵ１（ｋ）〜Ｕ４（ｋ）が周波数領域拡散された送信ＯＦＤＭ−ＣＤＭＡを形成する。
【００５４】
（３）動作
以上の構成において、送信処理ブロック１０１には偶対称コードが入力されるので、送信処理ブロック１０１から出力されるＯＦＤＭ−ＣＤＭＡ信号の信号軌跡は、Ｉ−Ｑ平面のＩ軸上を変動するようになる。同様に送信処理ブロック１０２にも偶対称コードが入力されるので、送信処理ブロック１０２から出力されるＯＦＤＭ−ＣＤＭＡ信号の信号軌跡も、Ｉ−Ｑ平面のＩ軸上を変動するようになる。
【００５５】
これに対して、送信処理ブロック１０３、１０４には奇対称コードが入力されるので、送信処理ブロック１０３、１０４から出力されるＯＦＤＭ−ＣＤＭＡ信号の信号軌跡は、Ｉ−Ｑ平面のＱ軸上を変動するようになる。
【００５６】
従って、送信処理ブロック１０１及び１０２から出力されるＯＦＤＭ−ＣＤＭＡ信号の加算結果はＩ軸上を変動すると共に、送信処理ブロック１０３及び１０４から出力されるＯＦＤＭ−ＣＤＭＡ信号の加算結果はＱ軸上を変動する。この結果、加算器１０７から最終的に出力される送信ＯＦＤＭ−ＣＤＭＡ信号のＩ−Ｑ平面上のベクトルは、Ｉ軸上を変動するベクトルとＱ軸上を変動するベクトルの合成ベクトルとなる。
【００５７】
これにより最終的な合成ベクトルは互いに直交するベクトルの合成ベクトルとなるので、合成ベクトルを小さくすることができる。この結果、送信ＯＦＤＭ−ＣＤＭＡ信号のピーク電圧を小さくできる。
【００５８】
さらにコード割当部１０６により、偶対称コードが割り当てられる送信処理ブロックの数と奇対称コードが割り当てられる送信処理ブロックの数が同数とされているので、偶対称コードが割り当てられた送信処理ブロック１０１及び１０２から出力される信号を加算して得られるＩ軸上のピークと、奇対称コードが割り当てられた送信処理ブロック１０３及び１０４から出力される信号を加算して得られるＱ軸上のピークは、ほぼ同じ値となる。
【００５９】
この結果、合成ベクトルは、正方形の互いに隣接する２辺のベクトルの合成となるので、一段と小さな合成ベクトルを得ることができる。これにより、送信ＯＦＤＭ−ＣＤＭＡ信号のピーク電圧を一段と小さくできる。
【００６０】
例えば各送信処理ブロック１０１〜１０４から出力されるＯＦＤＭ−ＣＤＭＡ信号のピークを１とした場合、この実施の形態のＯＦＤＭ送信装置１００における送信ＯＦＤＭ−ＣＤＭＡ信号のピーク値は、図８（ａ）に示すように、２√２となる。
【００６１】
これに対して例えば偶対称コードを送信処理ブロック１０１にのみ割り当て、奇対称コードを送信処理ブロック１０２〜１０４に割り当てた場合を考える。この場合、図８（ｂ）に示すように、送信処理ブロック１０１から出力される信号のピークはＩ軸上にあり、その値は１である。これに対して、送信処理ブロック１０２〜１０４から出力される信号のピークはＱ軸上にあり、その値は３となる。この結果、それらの合成ベクトルの大きさ、つまり送信ＯＦＤＭ−ＣＤＭＡ信号のピークは√１０（＞２√２）となる。
【００６２】
（４）効果
以上の構成によれば、ＯＦＤＭ−ＣＤＭＡ変調方式を用いて送信データを変調して送信する場合に、拡散コードとして偶対称コード及び奇対称コードを用いて送信データを拡散し、拡散処理により形成された偶対称又は奇対称の拡散処理後の各チップを、互いに対称なチップを互いに逆相のサブキャリアに割り当てるようにして、互いに直交関係にある複数サブキャリアを変調するようにしたことにより、送信ＯＦＤＭ−ＣＤＭＡ信号のピーク電圧を有効に抑制することができる。この結果、受信側で歪みの少ない復調データを得ることができるようになる。
【００６３】
また偶対称コードによりＯＦＤＭ−ＣＤＭＡ信号を形成する送信処理ブロック１０１、１０２と、奇対称コードによりＯＦＤＭ−ＣＤＭＡ信号を形成する送信処理ブロック１０３、１０４を同数としたことにより、送信ＯＦＤＭ−ＣＤＭＡ信号のピーク電圧を一段と抑制することができる。
【００６４】
（実施の形態２）
（１）原理
この実施の形態では、偶対称コード及び奇対称コードによる拡散処理により得られるＯＦＤＭ−ＣＤＭＡ信号を各々Ｎ／２個、計Ｎ個のグループに分けると、各々のグループの信号がＩ−Ｑ平面上の同一直線上で変動することに着目して、各グループの信号に対して位相オフセットを与えることにより、各グループの信号を同じ角度間隔の直線上で変動させる。これにより各グループ信号の合成信号のピークをＩ−Ｑ平面上で一様に分散できることにより、最終的な送信ＯＦＤＭ−ＣＤＭＡ信号のピーク電圧を一段と抑制し得る。
【００６５】
ここで拡散コードの多重コード数を（Ｍ×Ｎ）個とすると、各グループにはＭ個の拡散コードが割り当てられる。そして図９に示すように、各グループ間の信号が（１８０／Ｎ）°の間隔の直線上で変動するように位相オフセットを与える。すると各グループでのピーク振幅値は通常の１コード時のピークのＭ倍となる。従って図９の対称性を考えると、各グループのピーク値を加算して得られる総合ピーク値は、次式の値が掛けられたものとなる。
【００６６】
【数１】
0003548148.tif 000002
従って、総合ピーク値は通常のコード多重時と比較して、次式で示すように低減される。
【００６７】
【数２】
0003548148.tif 000003
ここでこれらの処理は、各グループの信号軌跡が、図９のようになるように位相オフセットを与えながらコード多重を行うだけなので、送信電力が変わることはない。従って、上記のピーク値低減効果はそのままピークファクタの低減となる。また上記位相オフセット値を受信側でも既知の値とすれば、受信側でオフセット分だけ位相を戻せばよいので、伝送特性が劣化することはない。
【００６８】
（２）構成
図６との対応部分に同一符号を付して示す図１０において、２００は全体として本発明の実施の形態２に係るＯＦＤＭ送信装置の構成を示す。ＯＦＤＭ送信装置２００は、各送信処理ブロック１０１〜１０４から出力されるＯＦＤＭ−ＣＤＭＡ信号の位相を所定角度だけ回転させる移相器２０１〜２０４を有する。
【００６９】
この実施の形態の場合、上記グループ数Ｎは４となっているので、移相器２０１〜２０４は各グループの信号軌跡が（１８０／４）°＝４５°の間隔の直線上で変動するように位相オフセットを与える。具体的には、移相器２０１、２０２、２０３、２０４は、それぞれ入力信号の位相を、４５°、９０°、４５°、９０°だけ回転させるようになっている。
【００７０】
この結果、送信処理ブロック１０１から出力されるＩ軸上を変動するＯＦＤＭ−ＣＤＭＡ信号が移相器２０１により４５°だけ位相オフセットが与えられることにより、図１１に示す直線Ｌ１上を変動するようになる。また送信処理ブロック１０２から出力されるＩ軸上を変動するＯＦＤＭ−ＣＤＭＡ信号が移相器２０２により９０°だけ位相オフセットが与えられることにより、直線Ｌ２（Ｑ軸）上を変動するようになる。
【００７１】
また送信処理ブロック１０３から出力されるＱ軸上を変動するＯＦＤＭ−ＣＤＭＡ信号が移相器２０３により４５°だけ位相オフセットが与えられることにより、直線Ｌ３上を変動するようになる。さらに送信処理ブロック１０４から出力されたＱ軸上を変動するＯＦＤＭ−ＣＤＭＡ信号が移相器２０４により９０°だけ位相オフセットが与えられることにより、直線Ｌ４（Ｉ軸）上を変動するようになる。
【００７２】
移相器２０１〜２０４によって位相オフセットが与えられた各ユーザデータＵ１（ｋ）〜Ｕ４（ｋ）についてのＯＦＤＭ−ＣＤＭＡ信号は加算器２０５によって加算され、出力端２０６を介して送信ＯＦＤＭ−ＣＤＭＡ信号が出力される。
【００７３】
（３）動作
以上の構成において、ＯＦＤＭ送信装置２００から出力される送信ＯＦＤＭ−ＣＤＭＡ信号の信号軌跡は、図１１の直線Ｌ１〜Ｌ４上を変動する信号が合成されたものとなる。ここで各直線Ｌ１〜Ｌ４は、Ｉ−Ｑ平面上で原点を中心として全ての方向に分散するように配置されているので、その合成ベクトルの大きさもある一つの方向に突出することはない。この結果、ＯＦＤＭ送信装置２００から出力される送信ＯＦＤＭ−ＣＤＭＡ信号のピーク電圧を抑制することができる。
【００７４】
ここで各移相器２０１〜２０４から出力されるＯＦＤＭ−ＣＤＭＡ信号のＩ−Ｑ平面上でのピーク電圧を１とし、合成信号のピーク電圧が最も大きくなる状態（各信号の信号点が同じような方向にあるとき）として、各送信処理ブロック１０１、１０２、１０３、１０４の信号点が（Ｉ，Ｑ）＝（１／√２，１／√２）、（０，１）、（−１／√２，１／√２）、（−１，０）に存在する場合を考える。このときの合成信号の信号点は（Ｉ，Ｑ）＝（−１，１＋√２）となる。よってベクトルの大きさは√（４＋２√２）となる。
【００７５】
同じ条件で、実施の形態１のＯＦＤＭ送信装置１００のピーク電圧と比較する。ＯＦＤＭ送信装置１００では、各送信処理ブロック１０１、１０２、１０３、１０４の信号点が（Ｉ，Ｑ）＝（１，０）、（１，０）、（０，１）、（０，１）となるとき合成信号が最も大きくなり、そのベクトルの大きさは、２√２となる。
【００７６】
従って、この実施の形態の合成信号のベクトルの大きさ√（４＋２√２）の方が、実施の形態１の合成信号のベクトルの大きさ２√２よりも小さくなるので、この実施の形態のＯＦＤＭ送信装置２００の方がピーク抑圧効果が大きいことがわかる。
【００７７】
すなわち実施の形態１のＯＦＤＭ送信装置１００では、送信処理ブロック１０１と送信処理ブロック１０２から出力されるＯＦＤＭ−ＣＤＭＡ信号は共にＩ軸上を変動するので、それらはＩ軸上で大きく変動するようになる。同様に、送信処理ブロック１０３と送信処理ブロック１０４から出力されるＯＦＤＭ−ＣＤＭＡ信号は共にＱ軸上を変動するので、それらはＱ軸上で大きく変動するようになる。
【００７８】
これに対して、この実施の形態のＯＦＤＭ送信装置２００では、同じ偶対称コードで拡散されて得られた信号であっても、Ｉ軸のみを変動させるのではなく、それらを異なる直線上で変動させるようにしているので、ピークの生じる方向を一段と分散させることができる。奇対称コードにより拡散されて得られた信号についても同様である。
【００７９】
因みに、これは従来のように単に拡散コードにより得られた信号をＩ−Ｑ平面上をランダムに分散させることとは全く異なり、あくまでも偶対称コード又は奇対称コードにより直線上を変動する信号について、その直線を同じような方向に向けないために、その直線の方向を分散させるのである。
【００８０】
つまり、偶対称又は奇対称の拡散コードを用いることにより、送信信号軌跡をＩ−Ｑ平面上の直線上でのみ変動させ、位相オフセットを適宜選定することにより、送信信号軌跡が変動する上記直線をできるだけ９０°に近い角度となるようにする。この結果、Ｉ−Ｑ平面上での送信信号軌跡の合成ベクトルを小さくできることにより、送信ＯＦＤＭ−ＣＤＭＡ信号のピーク振幅を低減し得るようになっている。
【００８１】
（４）効果
以上の構成によれば、偶対称コード又は奇対称コードを用いて拡散することによりＩ軸又はＱ軸上を変動するようになされた各グループのＯＦＤＭ−ＣＤＭＡ信号を、各グループ毎に所定の位相オフセットを与えて同じ角度間隔の直線上で変動するようにしたことにより、一段とピーク電圧を抑制し得るＯＦＤＭ送信装置２００を実現できる。
【００８２】
（実施の形態３）
（１）原理
上述の実施の形態１及び実施の形態２では、ＯＦＤＭ送信装置１００、２００の各送信処理ブロック１０１〜１０４において、ＢＰＳＫ変調を処理を行う場合について述べたが、この実施の形態では、各送信処理ブロックにおいて、ＱＰＳＫ変調等のｍ値ＰＳＫ変調処理を行う場合について考える。
【００８３】
この実施の形態でも、上述した実施の形態２と同様に、偶対称コード及び奇対称コードによる拡散により得られるＯＦＤＭ−ＣＤＭＡ信号を各々Ｎ／２個、計Ｎ個のグループに分けると、各々のグループの信号がＩ−Ｑ平面上の同一直線上で変動することに着目して、各グループの信号に対して位相オフセットを与えることにより、各グループの信号を同じ角度間隔の直線上で変動させる。
【００８４】
ここで多重コード数を（Ｍ×Ｎ）個とすると、各グループにはＭ個の拡散コードが割り当てられる。そして各送信処理ブロックがｍ値ＰＳＫ変調を行うことを考慮して、図１２に示すように、各グループ間の信号が（３６０／（ｍ×Ｎ））°の間隔の直線上で変動するように位相オフセットを与える。すると各グループでのピーク振幅値は通常の１コード時のピークのＭ倍となる。
【００８５】
従って実施の形態２と同様に、図１２の対称性を考えると、この実施の形態の送信ＯＦＤＭ−ＣＤＭＡ信号の総合ピーク値は、通常のコード多重時と比較して、次式で示すように低減される。
【００８６】
【数３】
0003548148.tif 000004
ここで図１２にＱＰＳＫ変調を施した場合、図１３に１６値ＱＡＭ変調を施した場合のこの実施の形態における送信ＯＦＤＭ−ＣＤＭＡ信号の信号軌跡を示す。図１２において、ＱＰＳＫ変調での本来の信号点はＡ，Ｂ，Ｃ，Ｄの４点であり、偶対称コードと奇対称コードを用いているので、その信号軌跡は直線ＡＣ上又は直線ＢＤ上で変動する。
【００８７】
つまり、信号軌跡が直線ＡＣ上となるのは、「偶対称コードでＡ点又はＣ点を送信した場合」あるいは「奇対称コードでＢ点又はＤ点を送信した場合」である。一方、信号軌跡が直線ＢＤ上となるのは、「偶対称コードでＢ点又はＤ点を送信した場合」あるいは「奇対称コードでＡ点又はＣ点を送信した場合」である。
【００８８】
そこで、（３６０／ｍ）°＝（３６０／４）°＝９０°をＮ分割して各拡散コードのグループに割り当てれば、上述のようなピークファクタ抑圧効果が得られる。ｍ値ＰＳＫに対しては信号点の最小位相差（３６０／ｍ）°をＮ分割すればよいことがわかる。
【００８９】
図１３の１６値ＱＡＭ変調を施した場合において、１６値ＱＡＭ本来の信号点は黒丸で示した１６点であり、偶対称コード及び奇対称コードのどちらのコードを用いたか、どの信号点を送信したかによって信号軌跡は変わるが、送信信号点を通過する直線又はそれに直交する直線上であることは明らかである。
【００９０】
従って、信号点の最小位相差１８．４°をＮ分割して各コードのグループに割り当てれば、上述と同様のピークファクタ抑圧効果を得ることができる。
【００９１】
（２）構成及び動作
図１０との対応部分に同一符号を付して示す図１４において、３００は全体として、本発明の実施の形態３に係るＯＦＤＭ送信装置を示す。ＯＦＤＭ送信装置３００は、各送信処理ブロック３０１〜３０４がＱＰＳＫ変調処理を行うようになっている。ここで送信処理ブロック３０１、３０２には偶対称コードが入力され、送信処理ブロック３０３、３０４には奇対称コードが入力される。
【００９２】
この実施の形態の各送信処理ブロック３０１〜３０４は、図１５に示すように構成されている。ここではユーザデータＵ１（ｋ）を処理する送信処理ブロック３０１について説明する。送信処理ブロック３０１のコピー部３２０にはユーザデータＵ１（ｋ）が入力され、コピー部３２０はユーザデータＵ１（ｋ）をサブキャリア数に対応した数だけ複製する。
【００９３】
送信処理ブロック３０１は、サブキャリア数分だけ設けられ、それぞれ同一構成でなるＯＦＤＭ−ＣＤＭＡ処理部３２１〜３２４を有する。以下、ＯＦＤＭ−ＣＤＭＡ処理部３２１の構成について説明する。
【００９４】
ＯＦＤＭ−ＣＤＭＡ処理部３２１は、コピー部３２０により複製されたユーザデータＵ１（ｋ）をスプリッタ回路３３０に入力する。スプリッタ回路３３０は入力されたデータを２系統に振り分ける。例えば「１」、「０」のデータが順次この順序で入力されると、第１の系統には「１」のデータが振り分けられ、第２の系統には「０」のデータが振り分けられる。
【００９５】
乗算器３３１及び３３２には、上述した乗算器１１１（図７）と同様に拡散コードの１チップ分が入力される。従って乗算器３３１及び３３２では、全体として同じ拡散チップを、入力した２ビット分のデータに掛け合わせる処理が行われる。
【００９６】
続く乗算器３３３、３３４ではそれぞれ、乗算器３３１、３３２の出力と、シンボルレートＴｓ−１の３／２倍の周波数サブキャリア波形が時間を合わせて掛け合わされる。因みに、他のＯＦＤＭ−ＣＤＭＡ処理部３２２〜３２４における乗算器３３３、３３４に対応する乗算器（図示せず）では、それぞれシンボルレートＴｓ−１の１／２倍、−１／２倍、−３／２倍の周波数サブキャリア波形が時間を合わせて掛け合わされる。このとき乗算器３３４では、乗算器３３３で掛け合わされるサブキャリア波形に対してπ／２だけ位相がずれたサブキャリア波形が掛け合わされるようになっている。
【００９７】
各乗算器３３３、３３４の出力は加算器３３５により加算される。これにより２ビット分のユーザデータＵ１（ｋ）が１チップの拡散コードで拡散された（すなわちＱＰＳＫ変調された）ＯＦＤＭ−ＣＤＭＡ信号が形成される。各ＯＦＤＭ−ＣＤＭＡ処理部３２１〜３２４の出力は加算器３３６で加算される。これにより加算器３３６からは、２ビット分のユーザデータＵ１（ｋ）が４チップの拡散コードで拡散され、拡散されたチップがそれぞれ直交した４つのサブキャリアに重畳されたＱＰＳＫ−ＯＦＤＭ−ＣＤＭＡ信号が出力される。
【００９８】
図１４に戻って説明する。ＯＦＤＭ送信装置３００は各送信処理ブロック３０１〜３０４から出力されるＱＰＳＫ−ＯＦＤＭ−ＣＤＭＡ信号を、各送信処理ブロック３０１〜３０４に対応して設けられた移相器３１１〜３１４に送出する。各移相器３１１〜３１４は上述したこの実施の形態の原理の項で説明した規則に従って、各グループ間の信号が（３６０／（ｍ×Ｎ））°＝（３６０／（４×４））°＝２２．５°の間隔の直線上で変動するように位相オフセットを与える。
【００９９】
具体的には、移相器３１１、３１２、３１３、３１４はそれぞれ、入力したＱＰＳＫ−ＯＦＤＭ−ＣＤＭＡ信号の位相を２２．５°、４５°、６７．５°、９０°分だけ回転させる。これにより各グループ間の信号が互いに同じ直線上で重なることなく２２．５°の間隔をもった直線上で変動するようになる。
【０１００】
これを、図１６を用いて説明する。先ず、説明を簡単化するために、送信処理ブロック３０１及び移相器３１１の動作のみについて説明する。ＱＰＳＫ変調では、ユーザデータＵ１（ｋ）に応じて、変調信号の信号点は図中Ａ点、Ｂ点、Ｃ点、Ｄ点のいずれかとなる。これらの信号点を偶対称コードを用いて拡散処理した場合、Ａ点のシンボルは直線Ｌ１０上を変動し、Ｂ点のシンボルは直線Ｌ１４上を変動し、Ｃ点のシンボルは直線Ｌ１０上を変動し、Ｄ点のシンボルは直線Ｌ１４上を変動する。
【０１０１】
また奇対称コードを用いた場合も、それぞれの信号軌跡の位相がπ／２だけ回転するだけで、Ａ点〜Ｄ点の各シンボルの拡散処理後の信号軌跡は直線Ｌ１０又はＬ１４上を変動するようになる。このようにＱＰＳＫ変調の場合、偶対称コード又は奇対称コードを用いた場合の信号軌跡は、それぞれＡ点、Ｃ点及びＢ点、Ｄ点を含む互いに直交した直線Ｌ１０及びＬ１４上を変動するようになる。
【０１０２】
そして移相器３１１はこれらの直線Ｌ１０及びＬ１４を２２．５°だけ位相回転させることにより、送信処理ブロック３０１の出力の信号軌跡が直線Ｌ１１及びＬ１５上を変動するようにする。また移相器３１２は直線Ｌ１０及びＬ１４を４５°だけ位相回転させることにより、送信処理ブロック３０２の出力の信号軌跡が直線Ｌ１２及びＬ１６上を変動するようにする。
【０１０３】
移相器３１３は直線Ｌ１０及びＬ１４を６７．５°だけ位相回転させることにより、送信処理ブロック３０３の出力の信号軌跡が直線Ｌ１３及びＬ１７上を変動するようにする。さらに移相器３１４は直線Ｌ１０及びＬ１４を９０°だけ位相回転させることにより、送信処理ブロック３０４の出力の信号軌跡が直線Ｌ１４及びＬ１０上を変動するようにする。
【０１０４】
かくして、各送信処理ブロック３０１〜３０４から出力された直線Ｌ１０及びＬ１４上を変動する信号が移相器３１１〜３１４により、互いに重ならずかつ同じ角度間隔をもった直線Ｌ１０〜Ｌ１上をそれぞれ変動する送信ＯＦＤＭ−ＣＤＭＡ信号とされる。
【０１０５】
この結果、Ｉ−Ｑ平面上の同じ方向に信号点が集中しないようにできることにより、有効にピーク電圧を抑制することができる。
【０１０６】
（３）効果
以上の構成によれば、１ユーザデータ分のＯＦＤＭ−ＣＤＭＡ信号処理を単位処理グループとし、各グループにおいて偶対称コード又は奇対称コードを用いて拡散処理し、かつＱＰＳＫ変調等のｍ値ＰＳＫ変調を用いる場合、各グループ間の信号が（３６０／（ｍ×Ｎ））°の間隔の直線上で変動するように位相オフセットを与えるようにしたことにより、送信ＯＦＤＭ−ＣＤＭＡ信号のピーク電圧を有効に抑制できる。
【０１０７】
（他の実施の形態）
なお上述の実施の形態では、拡散処理手段により形成された偶対称又は奇対称の拡散処理後の各チップを、互いに対称なチップを互いに逆相のサブキャリアに割り当てるようにして、互いに直交関係にある複数サブキャリアを変調する直交マルチキャリア変調手段を、図７及び図１５に示すように、各サブキャリアと拡散により得られたチップとを乗算する乗算器により構成する場合について述べたが、本発明の直交マルチキャリア変調手段はこれに限らず、高速フーリエ変換により実現するようにしてもよい。
【０１０８】
また実施の形態３では、送信データをＱＰＳＫ変調する場合について述べたが、本発明はこれに限らず、８相ＰＳＫ等の他の変調方式に適用することもできる。例えば８相ＰＳＫを用い４つのユーザデータをＯＦＤＭ−ＣＤＭＡ信号として送信する場合には、上述した（３６０／（ｍ×Ｎ））°の式に基づいて、各ユーザデータのＯＦＤＭ−ＣＤＭＡ信号の変動する直線が（３６０／（８×４））°＝１１．２５°の間隔で配列するように位相オフセットを与えればよい。
【０１０９】
【発明の効果】
以上説明したように、本発明によれば、ＯＦＤＭ−ＣＤＭＡ信号を形成する場合に、各送信データについての変調信号の信号点がＩ−Ｑ平面において異なる直線上を変動するようにしたことにより、信号点を一様に分散させることができ、この結果送信ＯＦＤＭ−ＣＤＭＡ信号のピーク電圧を抑制し得る。
【図面の簡単な説明】
【図１】各サブキャリア（２Ｎ個）に割り当て得られる送信シンボル（１シンボル分）を示す図
【図２】偶対称コードによる拡散出力を示す図
【図３】奇対称コードによる拡散出力を示す図
【図４】偶対称コードにより得られた拡散出力信号のＩ−Ｑ平面上での信号軌跡を示す図
【図５】奇対称コードにより得られた拡散出力信号のＩ−Ｑ平面上での信号軌跡を示す図
【図６】本発明の実施の形態１に係るＯＦＤＭ送信装置の構成を示すブロック図
【図７】送信処理ブロックの構成及び信号波形を示す図
【図８】実施の形態のように同数の偶対称コード及び奇対称コードを用いた場合と、そうでない場合のピーク抑制効果の比較の説明に供するベクトル図
【図９】本発明の実施の形態２の原理の説明に供する図
【図１０】本発明の実施の形態２に係るＯＦＤＭ送信装置の構成を示すブロック図
【図１１】実施の形態２の移相器による位相回転動作の説明に供する図
【図１２】本発明の実施の形態３の原理の説明に供する図
【図１３】本発明の実施の形態３の原理の説明に供する図
【図１４】本発明の実施の形態３に係るＯＦＤＭ送信装置の構成を示すブロック図
【図１５】送信処理ブロックの構成を示すブロック図
【図１６】実施の形態３の移相器による位相回転動作の説明に供する図
【図１７】変調処理前のディジタルシンボルの状態を示す模式図
【図１８】周波数領域拡散方式での変調処理後の各チップの配置を示す模式図
【図１９】従来のＣＤＭＡ方式を組み込んだＯＦＤＭ送信装置の構成を示す図
【図２０】図１９の送信処理ブロックの構成及び信号波形を示す図
【符号の説明】
１００、２００、３００  ＯＦＤＭ送信装置
１０１〜１０４、３０１〜３０４  送信処理ブロック（ＯＦＤＭ−ＣＤＭＡ送信処理ブロック）
１０５  拡散コード発生器
１０６  コード割当部
１３０  ＣＤＭＡ処理部
１４０  ＯＦＤＭ処理部
２０１〜２０４、３１１〜３１４  移相器
３２１〜３２４  ＯＦＤＭ−ＣＤＭＡ処理部
Ｕ１（ｋ）〜Ｕ４（ｋ）  ユーザデータ
【図１】
0003548148.tif 000005
【図２】
0003548148.tif 000006
【図３】
0003548148.tif 000007
【図４】
0003548148.tif 000008
【図５】
0003548148.tif 000009
【図６】
0003548148.tif 000010
【図７】
0003548148.tif 000011
【図８】
0003548148.tif 000012
【図９】
0003548148.tif 000013
【図１０】
0003548148.tif 000014
【図１１】
0003548148.tif 000015
【図１２】
0003548148.tif 000016
【図１３】
0003548148.tif 000017
【図１４】
0003548148.tif 000018
【図１５】
0003548148.tif 000019
【図１６】
0003548148.tif 000020
【図１７】
0003548148.tif 000021
【図１８】
0003548148.tif 000022
【図１９】
0003548148.tif 000023
【図２０】
0003548148.tif 000024